(57)【特許請求の範囲】
【請求項１】
系統基本周波数が切り替わる系統を保護するディジタル保護継電装置において、
前記系統の系統基本周波数が第１の周波数か第１の周波数とは異なる第２の周波数のいずれであるかを検出する周波数検出手段と、
前記周波数検出手段によって検出された第１および第２の周波数に各々対応して設定された割り込み間隔で割り込み起動信号を出力する割り込み手段と、
前記割り込み手段から出力される割り込み起動信号により起動され、ディジタル保護継電装置の保護対象設備内の遮断器の開放指令が出力され且つ遮断器入状態のアンサーが入力されたときから、前記遮断器の開放指令が出力されており且つ遮断器切状態のアンサーが入力されるまでの時間をカウンタによってカウントさせる計数手段と、
前記カウンタのカウント終了時に、前記第１および第２の周波数に各々対応して設定された係数を表す情報のうち、前記カウンタのカウント時の周波数であって前記周波数検出手段により検出された周波数に対応する係数を表す情報と、前記カウンタのカウント値とを組として記憶する記憶手段と、
前記記憶手段に組として記憶されたカウント値と係数を乗算して遮断器応動時間を計算する応動時間算出手段と、を備え、
前記計数手段は、系統基本周波数の切り替わり時にリレーロック機能によって前記遮断器の開放指令の出力がオフされたとき、前記カウンタによるカウントを中止させることを特徴とするディジタル保護継電装置の遮断器応動時間測定装置。
【請求項２】
前記係数を表す情報は前記第１の周波数又は第２の周波数に対応して設定された係数を選択する情報であり、
前記応動時間算出手段は、前記係数を選択する情報に基づいて第１の周波数又は第２の周波数に対応して設定された係数を選択し、該選択された係数とカウント値を乗算することを特徴とする請求項１に記載のディジタル保護継電装置の遮断器応動時間測定装置。
【請求項３】
前記記憶手段はバックアップＲＡＭであることを特徴とする請求項１又は２に記載のディジタル保護継電装置の遮断器応動時間測定装置。
【発明の詳細な説明】
【技術分野】
【０００１】
本発明は、ディジタル保護継電装置における遮断器の応動時間測定装置に関する。
【背景技術】
【０００２】
従来、系統基本周波数が切り替わる系統を保護するディジタル保護継電装置における遮断器応動時間の測定は、例えば次のように実行されていた。
【０００３】
すなわち、まず系統基本周波数（５０Ｈｚまたは６０Ｈｚ）の電気角３０°間隔（５０Ｈｚ系では１．６６６ｍｓ、６０Ｈｚ系では１．３８８ｍｓ）でＣＰＵに割り込みを掛け、その割り込み処理の中で、遮断器開放指令が出力されてから遮断器「切」アンサーが入力されるまでカウンタを歩進し、測定終了時にカウンタ値をバックアップＲＡＭに格納する。
【０００４】
そして次に、前記バックアップＲＡＭからカウンタ値を読み出して、既知の固定係数（５０Ｈｚ系では１．６６６ｍｓ、６０Ｈｚ系では１．３８８ｍｓ）を乗じて遮断器応動時間を算出する。
【０００５】
図１３は従来の遮断器の応動時間測定処理の手順の一例を表すフローチャートであり、図１４は従来方式によるバックアップＲＡＭの格納内容を示す図である。尚図１４は系統基本周波数が５０Ｈｚの例を示している。
【０００６】
図１３のステップＳ１〜Ｓ１１の処理は、系統基本周波数（５０Ｈｚ又は６０Ｈｚ）の電気角３０°間隔（５０Ｈｚ系では１．６６６ｍｓ、６０Ｈｚ系では１．３８８ｍｓ）毎に実行される。
【０００７】
まずステップＳ１では、遮断器の開放指令が出力中であるか否かを判定し、出力中でない場合はステップＳ２においてタイマ起動フラグをＯＦＦして処理を終了する。
【０００８】
遮断器開放指令が出力中である場合はステップＳ３において遮断器アンサーが「切」であるか「入」であるかを判定する。遮断器アンサーが「切」であればステップＳ４においてタイマ起動フラグをＯＦＦとし、「入」であればステップＳ５においてタイマ起動フラグをＯＮとする。
【０００９】
次にステップＳ６では、タイマ起動フラグがＯＦＦからＯＮに切り替わったか否かを判定する。ステップＳ６の判定結果がＹｅｓの場合はステップＳ７においてカウンタをクリアして過去のデータを消し、遮断器応動時間の測定を開始する。
【００１０】
ステップＳ６の判定結果がＮｏの場合と、ステップＳ７の実行後は、ステップＳ８においてタイマ起動フラグがＯＮであるか否かを判定する。
【００１１】
ステップＳ８の判定結果がＹｅｓの場合は、未だ遮断器が「切」になっていないため、ステップＳ９においてカウンタを歩進して応動時間の測定を続行する。
【００１２】
ステップＳ８の判定結果がＮｏの場合と、ステップＳ９の実行後は、ステップＳ１０においてタイマ起動フラグがＯＮからＯＦＦに切り替わったか否かを判定する。
【００１３】
ステップＳ１０の判定結果がＹｅｓの場合は遮断器が「切」になったことを示すため応動時間の測定を終了し、ステップＳ１１においてカウンタのカウンタ値をバックアップＲＡＭに格納する。
【００１４】
ステップＳ１０の判定結果がＮｏの場合と、ステップＳ１１の実行後に処理を終了する。
【００１５】
前記のように、カウンタ値はバックアップＲＡＭに格納されるので、装置電源の切り入りがあっても前記固定係数を乗ずることによって、常時同じ遮断器応動時間を得ることができる。
【００１６】
尚、ディジタル保護継電装置において、電流のサンプリングインターバルを自動的に選択する技術は、例えば特許文献１に記載されている。
【先行技術文献】
【特許文献】
【００１７】
【特許文献１】特開平７−３２２４７３号公報
【発明の概要】
【発明が解決しようとする課題】
【００１８】
従来、図１３、図１４に示す遮断器応動時間測定方法において、バックアップＲＡＭのカウンタ値に乗ずる係数（既知の固定係数）は５０Ｈｚ系では１．６６６ｍｓ、６０Ｈｚ系では１．３８８ｍｓのどちらかにプログラムで固定されているので、系統基本周波数が切り替わる系統ではどちらか一方に固定すると逆の系統の場合に正しい遮断器応動時間が得られない。
【００１９】
また、リレーや外部入力による系統基本周波数の判定機能を備え、その判定結果より系統基本周波数が５０Ｈｚ→６０Ｈｚまたは６０Ｈｚ→５０Ｈｚに変化したことを検出した場合に電気角３０°の割り込み間隔を再設定するディジタル保護継電装置においても上記と同様の問題点がある。
【００２０】
すなわち、割り込み処理の中で、遮断器開放指令が出力されてから遮断器「切」アンサーが入力されるまでカウンタを歩進し、測定終了時にカウンタ値をバックアップＲＡＭに格納する場合に、現在の系統基本周波数の判定結果により係数を選択（５０Ｈｚ系統は１．６６６ｍｓ、６０Ｈｚ系統は１．３８８ｍｓ）し、カウンタ値と乗ずることで遮断器応動時間が算出されるが、系統基本周波数の切り替えがあると係数選択も切り替わってしまうため、カウンタ値と乗じても遮断器応動時間が同じ結果を得ることができない。
【００２１】
例えば５０Ｈｚ系統で測定終了時のカウンタ値が２４の場合、遮断器応動時間は、２４×１．６６６ｍｓ≒４０ｍｓとなるが、系統基本周波数の切り替えで６０Ｈｚ系統になった場合に再計算すると２４×１．３８８ｍｓ≒３３ｍｓとなり、測定終了時の系統基本周波数（５０Ｈｚまたは６０Ｈｚ）情報がないと正しい遮断器応動時間が算出できない。
【００２２】
本発明は上記課題を解決するものであり、その目的は、系統基本周波数の切り替えがあった場合でも正しい遮断器応動時間を得ることができるディジタル保護継電装置の遮断器応動時間測定装置を提供することにある。
【課題を解決するための手段】
【００２３】
上記課題を解決するための請求項１に記載のディジタル保護継電装置の遮断器応動時間測定装置は、系統基本周波数が切り替わる系統を保護するディジタル保護継電装置において、前記系統の系統基本周波数が第１の周波数か第１の周波数とは異なる第２の周波数のいずれであるかを検出する周波数検出手段と、前記周波数検出手段によって検出された第１および第２の周波数に各々対応して設定された割り込み間隔で割り込み起動信号を出力する割り込み手段と、前記割り込み手段から出力される割り込み起動信号により起動され、ディジタル保護継電装置の保護対象設備内の遮断器の開放指令が出力され且つ遮断器入状態のアンサーが入力されたときから、前記遮断器の開放指令が出力されており且つ遮断器切状態のアンサーが入力されるまでの時間をカウンタによってカウントさせる計数手段と、前記カウンタのカウント終了時に、前記第１および第２の周波数に各々対応して設定された係数を表す情報のうち、前記カウンタのカウント時の周波数であって前記周波数検出手段により検出された周波数に対応する係数を表す情報と、前記カウンタのカウント値とを組として記憶する記憶手段と、前記記憶手段に組として記憶されたカウント値と係数を乗算して遮断器応動時間を計算する応動時間算出手段と、を備え、前記計数手段は、系統基本周波数の切り替わり時にリレーロック機能によって前記遮断器の開放指令の出力がオフされたとき、前記カウンタによるカウントを中止させることを特徴としている。
【００２４】
また、請求項２に記載のディジタル保護継電装置の遮断器応動時間測定装置は、前記係数を表す情報は前記第１の周波数又は第２の周波数に対応して設定された係数を選択する情報であり、前記応動時間算出手段は、前記係数を選択する情報に基づいて第１の周波数又は第２の周波数に対応して設定された係数を選択し、該選択された係数とカウント値を乗算することを特徴としている。
【００２５】
上記構成によれば、系統基本周波数の切り替えがあった場合でも正しい遮断器応動時間を得ることができる。
【００２６】
また、請求項３に記載のディジタル保護継電装置の遮断器応動時間測定装置は、前記記憶手段はバックアップＲＡＭであることを特徴としている。
【００２７】
上記構成によれば、装置電源の切り、入りがあってもデータ消失はなく、系統基本周波数の切り替えがあった場合でも正しい遮断器応動時間を得ることができる。
【発明の効果】
【００２８】
（１）請求項１〜３に記載の発明によれば、系統基本周波数の切り替えがあった場合でも正しい遮断器応動時間を得ることができる。
（２）請求項３に記載の発明によれば、装置電源の切り、入りがあってもデータ消失はなく、系統基本周波数の切り替えがあった場合でも正しい遮断器応動時間を得ることができる。
【図面の簡単な説明】
【００２９】
【図１】本発明の実施形態例におけるディジタル保護継電装置の要部を示す構成図。
【図２】本発明の実施形態例におけるディジタル保護継電装置の商用周波数切り替わり検出回路が行う系統周波数判別処理のフローチャート。
【図３】本発明の実施形態例におけるディジタル保護継電装置の割り込み回路の構成図。
【図４】本発明の実施形態例におけるディジタル保護継電装置の遮断器開放指令出力の取り込み回路の構成図。
【図５】本発明の実施形態例におけるディジタル保護継電装置の遮断器アンサー取り込み回路の構成図。
【図６】本発明の実施形態例におけるディジタル保護継電装置のタイマ構成を示す説明図。
【図７】本発明の実施例１における遮断器応動時間測定時の処理を示すフローチャート。
【図８】本発明の実施例１におけるバックアップＲＡＭの格納内容を示す説明図。
【図９】本発明の実施例１における遮断器応動時間算出時の処理を示すフローチャート。
【図１０】本発明の実施例２における遮断器応動時間測定時の処理を示すフローチャート。
【図１１】本発明の実施例２におけるバックアップＲＡＭの格納内容を示す説明図。
【図１２】本発明の実施例２における遮断器応動時間算出時の処理を示すフローチャート。
【図１３】従来方式による遮断器応動時間測定時の処理を示すフローチャート。
【図１４】従来方式におけるバックアップＲＡＭの格納内容を示す説明図。
【発明を実施するための形態】
【００３０】
以下、図面を参照しながら本発明の実施の形態を説明するが、本発明は下記の実施形態例に限定されるものではない。図１は本実施形態例におけるディジタル保護継電装置の要部、特にＣＰＵ周辺の回路構成を示している。
【００３１】
図１において、１０は、保護対象である系統の電圧、電流等の情報を取り込む入力変換部である。入力変換部１０によって取り込まれた系統電圧・電流はアナログ入力部２０のアナログフィルタ２１ａ，２１ｂに入力される。アナログフィルタ２１ａ，２１ｂの出力はマルチプレクサ２２によって選択されてＡ／Ｄ変換器２３によってディジタル信号に変換される。
【００３２】
本実施形態例のディジタル保護継電装置には、リレーや外部入力によって前記系統の系統基本周波数が第１の周波数（例えば５０Ｈｚ）か第２の周波数（例えば６０Ｈｚ）のいずれであるかを検出する、本発明の周波数検出手段としての商用周波数切り替わり検出回路（図示省略）が設けられている。
【００３３】
３０は、前記商用周波数切り替わり検出回路によって検出された第１および第２の周波数に各々対応して設定された割り込み間隔（電気角３０°間隔；５０Ｈｚ系では１．６６６ｍｓ、６０Ｈｚ系では１．３８８ｍｓ）で割り込み起動信号を出力する割り込み回路（本発明の割り込み手段）である。
【００３４】
４０は、本発明の計数手段、記憶手段および応動時間算出手段の各機能を備えた演算処理部であり、ＣＰＵ４１、ＲＯＭ，ＲＡＭ等のメモリ４２を有している。
【００３５】
５０はディジタル入力部であり、外部機器の状態により応動するリレーの接点出力を遮断器アンサーとして取り込んだり、遮断器開放指令（トリップ）出力を自動点検確認したトリップアンサーが入力される。
【００３６】
６０はディジタル出力部であり、遮断器開放指令（トリップ）などが出力される。
【００３７】
７０は、他のネットワークと接続するためのシリアルデバイスネットワーキング（ＥＴＨＲＴＮＥＴ）である。
【００３８】
前記アナログ入力部２０、割り込み回路３０、演算処理部４０、ディジタル入力部５０、ディジタル出力部６０、シリアルデバイスネットワーキング７０はバス８０によって互いに接続されている。
【００３９】
前記周波数検出手段としての商用周波数切り替わり検出回路が行う、系統周波数判別処理のフローチャートを図２に示す。
【００４０】
図２において、ステップＳ２１では検出リレーによって系統基本周波数が５０Ｈｚであるか否かを判定し、Ｙｅｓと判定された場合はステップＳ２２において、系統基本周波数は５０Ｈｚであると設定する。
【００４１】
ステップＳ２１の判定結果がＮｏの場合はステップＳ２３において検出リレーによって系統基本周波数が６０Ｈｚであるか否かを判定し、Ｙｅｓと判定された場合はステップＳ２４において、系統基本周波数は６０Ｈｚであると設定する。
【００４２】
ステップＳ２３の判定結果がＮｏの場合はステップＳ２５において外部装置の系統周波数６０Ｈｚと同一か否かを判定する。
【００４３】
ステップＳ２５の判定結果がＹｅｓの場合は前記ステップＳ２４の処理を行い、Ｎｏの場合は前記ステップＳ２２の処理を行って終了する。
【００４４】
図３に図１の割り込み回路３０の構成を示す。図３において、水晶発振器３１の発振出力をカウンタ３２が計数し、カウンタ３２のカウント値が図２の商用周波数切り替わり検出回路によって設定された５０Ｈｚ又は６０Ｈｚの設定情報と一致するか否かを比較一致判定部３３によって判定し、一致するときに図１の演算処理部４０のＣＰＵ４１に対して、系統基本周波数の電気角３０°の割り込み（起動信号）を出力する。
【００４５】
すなわち、水晶発振器３１が２．８８ＭＨｚの場合、５０Ｈｚ系統の電気角３０°は６００Ｈｚであるので、カウンタ３２が４８００（２８８００００÷６００）のとき３０°割り込みを出力する。また、６０Ｈｚ系統では電気角３０°は７２０Ｈｚであるので、カウンタ３２が４０００のとき３０°割り込みを出力する。
【００４６】
図４に、遮断器開放指令の出力回路と、トリップアンサーの取り込み回路の構成を示す。図４において、図１のディジタル保護継電装置内（のディジタル出力部６０）に設けられたトリップシーケンス６１から出力される遮断器開放指令出力ＤＯは、補助リレー６２およびトリップ回路６３を介してディジタルリレーの接点９０に導入され、接点９０のオン、オフ状態がトリップアンサーとしてディジタル入力部５０から取り込まれる。  
【００４７】
このトリップアンサー取り込みは自動点検の確認のために用いられる。
【００４８】
図５に、遮断器アンサー回路とその取り込み回路の構成を示す。図５において、外部機器回路１００からの出力信号（遮断器の「入」、「切」の応動を表す信号）はディジタルリレーの接点９０に導入され、接点９０のオン、オフ状態が遮断器アンサーとしてディジタル入力部５０から取り込まれる。
【００４９】
図１の演算処理部４０が備える計数手段は、割り込み回路３０から出力された割り込み出力（電気角３０°間隔で出力される割り込み起動信号）により起動され、図４のトリップシーケンス６１から遮断器開放指令（ＤＯ）が出力され、且つ遮断器入状態のアンサーが図５のようにディジタル入力部５０から入力されたときから、前記遮断器開放指令が出力されており且つ遮断器切状態のアンサーが入力されるまでの時間を演算処理部４０内のカウンタによってカウントさせる（測定する）処理を行う。そしてカウント終了（測定終了）時は、前記カウンタのカウント値と、図２の系統周波数判別処理によって検出された系統基本周波数に対応して設定された係数を表す情報とを組として図１の演算処理部４０内のバックアップＲＡＭに格納させる。
【００５０】
この演算処理部４０内のカウンタとバックアップＲＡＭの構成を図６に示す。図６において、メモリ４２内のカウンタ４２ａ（ＲＡＭ）は測定開始時に初期化（０）され、測定中は歩進（＋１）され、測定終了時に測定値がバックアップＲＡＭ４２ｂに格納される。
【００５１】
さらに、図１の演算処理部４０が備える応動時間算出手段は、前記バックアップＲＡＭ４２ｂに格納されたカウント値と係数を乗算して遮断器応動時間を計算する。  
【００５２】
尚、カウンタ４２ａは、例えば複数の遮断器に対応して複数個設けられる。
【実施例１】
【００５３】
本実施例１では、演算処理部４０の計数手段によるカウント終了後にバックアップＲＡＭに格納される、系統基本周波数に対応する係数を表す情報として、第１の周波数（例えば５０Ｈｚ）又は第２の周波数（例えば６０Ｈｚ）に対応して設定された係数選択情報（例えば５０Ｈｚ系統は０、６０Ｈｚ系統は１）を用いる。
【００５４】
図７は、演算処理部４０の計数手段および記憶手段が行う、実施例１における遮断器の応動時間測定処理の手順を表すフローチャートであり、図８はバックアップＲＡＭの格納内容を示す図である。
【００５５】
図７のステップＳ３１〜Ｓ４１の処理は、系統基本周波数（５０Ｈｚ又は６０Ｈｚ）の電気角３０°間隔（５０Ｈｚ系では１．６６６ｍｓ、６０Ｈｚ系では１．３８８ｍｓ）毎に実行される。
【００５６】
まずステップＳ３１では、遮断器の開放指令（図４のトリップ回路６３の出力）が出力中であるか否かを判定し、出力中でない場合はステップＳ３２においてタイマ起動フラグをＯＦＦして処理を終了する。
【００５７】
遮断器開放指令が出力中である場合はステップＳ３３において遮断器アンサー（図５のディジタル入力部５０から取り込まれる遮断器アンサー）が「切」であるか「入」であるかを判定する。遮断器アンサーが「切」であればステップＳ３４においてタイマ起動フラグをＯＦＦとし、「入」であればステップＳ３５においてタイマ起動フラグをＯＮとする。
【００５８】
次にステップＳ３６では、タイマ起動フラグがＯＦＦからＯＮに切り替わったか否かを判定する。ステップＳ３６の判定結果がＹｅｓの場合はステップＳ３７においてカウンタをクリアして過去のデータを消し（図６のカウンタの初期化（０））、遮断器応動時間の測定を開始する。
【００５９】
ステップＳ３６の判定結果がＮｏの場合と、ステップＳ３７の実行後は、ステップＳ３８においてタイマ起動フラグがＯＮであるか否かを判定する。
【００６０】
ステップＳ３８の判定結果がＹｅｓの場合は、未だ遮断器が「切」になっていないため、ステップＳ３９においてカウンタを歩進（図６のカウンタの歩進（＋１））して応動時間の測定を続行する。
【００６１】
ステップＳ３８の判定結果がＮｏの場合と、ステップＳ３９の実行後は、ステップＳ４０においてタイマ起動フラグがＯＮからＯＦＦに切り替わったか否かを判定する。
【００６２】
ステップＳ４０の判定結果がＹｅｓの場合は遮断器が「切」になったことを示すため応動時間の測定を終了し、ステップＳ４１においてカウンタのカウンタ値と、検出系統基本周波数に対応する係数選択情報（例えば５０Ｈｚ系統は０、６０Ｈｚ系統は１）とをバックアップＲＡＭ４２ｂに格納する。
【００６３】
ステップＳ４０の判定結果がＮｏの場合と、ステップＳ４１の実行後に処理を終了する。
【００６４】
上記のように、バックアップＲＡＭに格納されたカウント値および係数選択情報に基づいて、演算処理部４０の応動時間算出手段は図９のフローチャートに沿って応動時間算出処理を行う。図９において、ステップＳ５１ではバックアップＲＡＭに格納されている遮断器の係数選択情報が「０」であるか否かを判定し、「０」であれば５０Ｈｚ系統であるとして１．６６６を係数に選択し（ステップＳ５２）、「０」でなければ６０Ｈｚであるとして１．３８８を係数に選択する（ステップＳ５３）。
【００６５】
そしてステップＳ５４において、前記選択された係数をバックアップＲＡＭに格納されている測定カウンタ値に乗ずることで遮断器応動時間を算出し、処理を終了する。
【００６６】
本実施例１によれば、遮断器応動時間測定終了時のカウンタ値と係数選択情報がバックアップＲＡＭに格納されているので、装置電源の切り入りがあってもデータ消失がなく、系統基本周波数の切り替えがあった場合でも、過去に測定したカウンタ値と係数選択情報をもとに計算することにより、遮断器応動時間は常に正しい値を得ることができる。
【００６７】
また、測定中に系統基本周波数が切り替わると一定時間リレーロックすることで（一般的なディジタルリレーの機能としてリレーロックによりトリップ出力がオフされる、その結果）遮断器開放指令出力がオフされ、測定途中のカウント値や係数選択情報はバックアップＲＡＭに格納することなく終了（中止）するので、正規に測定終了されるまで過去に測定したカウンタ値と係数選択情報は保護され、正しい遮断器応動時間を得ることができる。
【実施例２】
【００６８】
本実施例２では、演算処理部４０の計数手段によるカウント終了後にバックアップＲＡＭに格納される、系統基本周波数に対応する係数を表す情報として、第１の周波数（例えば５０Ｈｚ）又は第２の周波数（例えば６０Ｈｚ）に対応して設定された係数（例えば５０Ｈｚ系統は１．６６６ｍｓ、６０Ｈｚ系統は１．３８８ｍｓ）を用いる。
【００６９】
図１０は、演算処理部４０の計数手段および記憶手段が行う、実施例２における遮断器の応動時間測定処理の手順を表すフローチャートであり、図１１はバックアップＲＡＭの格納内容を示す図である。
【００７０】
図１０のステップＳ６１〜Ｓ７１の処理は、系統基本周波数（５０Ｈｚ又は６０Ｈｚ）の電気角３０°間隔（５０Ｈｚ系では１．６６６ｍｓ、６０Ｈｚ系では１．３８８ｍｓ）毎に実行される。
【００７１】
まずステップＳ６１では、遮断器の開放指令（図４のトリップ回路６３の出力）が出力中であるか否かを判定し、出力中でない場合はステップＳ６２においてタイマ起動フラグをＯＦＦして処理を終了する。
【００７２】
遮断器開放指令が出力中である場合はステップＳ６３において遮断器アンサー（図５のディジタル入力部５０から取り込まれる遮断器アンサー）が「切」であるか「入」であるかを判定する。遮断器アンサーが「切」であればステップＳ６４においてタイマ起動フラグをＯＦＦとし、「入」であればステップＳ６５においてタイマ起動フラグをＯＮとする。
【００７３】
次にステップＳ６６では、タイマ起動フラグがＯＦＦからＯＮに切り替わったか否かを判定する。ステップＳ６６の判定結果がＹｅｓの場合はステップＳ６７においてカウンタをクリアして過去のデータを消し（図６のカウンタの初期化（０））、遮断器応動時間の測定を開始する。
【００７４】
ステップＳ６６の判定結果がＮｏの場合と、ステップＳ６７の実行後は、ステップＳ６８においてタイマ起動フラグがＯＮであるか否かを判定する。
【００７５】
ステップＳ６８の判定結果がＹｅｓの場合は、未だ遮断器が「切」になっていないため、ステップＳ６９においてカウンタを歩進（図６のカウンタの歩進（＋１））して応動時間の測定を続行する。
【００７６】
ステップＳ６８の判定結果がＮｏの場合と、ステップＳ６９の実行後は、ステップＳ７０においてタイマ起動フラグがＯＮからＯＦＦに切り替わったか否かを判定する。
【００７７】
ステップＳ７０の判定結果がＹｅｓの場合は遮断器が「切」になったことを示すため応動時間の測定を終了し、ステップＳ７１においてカウンタのカウンタ値と、検出系統基本周波数に対応する係数（例えば５０Ｈｚ系統は１．６６６ｍｓ、６０Ｈｚ系統は１．３８８ｍｓ）とをバックアップＲＡＭ４２ｂに格納する。
【００７８】
ステップＳ７０の判定結果がＮｏの場合と、ステップＳ７１の実行後に処理を終了する。
【００７９】
図１０の処理によりバックアップＲＡＭに格納されたカウント値および係数に基づいて、演算処理部４０の応動時間算出手段は図１２のステップＳ８１のように、係数を測定カウンタ値に乗ずることで遮断器応動時間を算出し、処理を終了する。
【００８０】
本実施例２によれば、遮断器応動時間測定終了時のカウンタ値と係数がバックアップＲＡＭに格納されているので、装置電源の切り入りがあってもデータ消失がなく、系統基本周波数の切り替えがあった場合でも、過去に測定したカウンタ値と係数をもとに計算することにより、遮断器応動時間は常に正しい値を得ることができる。
【００８１】
また、測定中に系統基本周波数が切り替わると一定時間リレーロックすることで（一般的なディジタルリレーの機能としてリレーロックによりトリップ出力がオフされる、その結果）遮断器開放指令出力がオフされ、測定途中のカウント値や係数はバックアップＲＡＭに格納することなく終了（中止）するので、正規に測定終了されるまで過去に測定したカウンタ値と係数は保護され、正しい遮断器応動時間を得ることができる。
【符号の説明】
【００８２】
１０…入力変換部
２０…アナログ入力部
３０…割り込み回路
３１…水晶発振器
３２、４２ａ…カウンタ
３３…比較一致判定部
４０…演算処理部
４１…ＣＰＵ
４２…メモリ
４２ｂ…バックアップＲＡＭ
５０…ディジタル入力部
６０…ディジタル出力部
６１…トリップシーケンス
６２…補助リレー
６３…トリップ回路
７０…シリアルデバイスネットワーキング
８０…バス
９０…ディジタルリレーの接点
１００…外部機器回路
【図１】
0006390325.tif 000002
【図２】
0006390325.tif 000003
【図３】
0006390325.tif 000004
【図４】
0006390325.tif 000005
【図５】
0006390325.tif 000006
【図６】
0006390325.tif 000007
【図７】
0006390325.tif 000008
【図８】
0006390325.tif 000009
【図９】
0006390325.tif 000010
【図１０】
0006390325.tif 000011
【図１１】
0006390325.tif 000012
【図１２】
0006390325.tif 000013
【図１３】
0006390325.tif 000014
【図１４】
0006390325.tif 000015